(57)【要約】【課題】携帯すべき携帯品の置き忘れを防止した携帯品携帯監視装置、携帯品携帯監視方法、及びプログラムを提供する。【解決手段】ドア付近に配置され、個人識別情報を送受信する送受信装置を有する携帯品との間でデータを授受する非接触カードキー対応ＩＣリーダゲートと、ドアのロック・アンロックを行うドアロック装置と、非接触カードキー対応ＩＣリーダゲートを通過しようとする人物が携帯品を携帯していない場合にはドアロック装置でドアをロックし、携帯品を携帯している場合にはドアロック装置をアンロックする制御手段と、を備えた。【選択図】図１
2011090451.tif 000002
【特許請求の範囲】
【請求項１】
ドア付近に配置され、個人識別情報を送受信する送受信装置を有する携帯品との間でデータを授受する非接触カードキー対応ＩＣリーダゲートと、
前記ドアのロック・アンロックを行うドアロック装置と、
前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックする制御手段と、
を備えたことを特徴とする携帯品携帯監視装置。
【請求項２】
前記人物に不携帯に関する警告を発する警告手段を備え、
前記制御手段は、前記人物が前記携帯品を携帯していない場合に、警告を発することを特徴とする請求項１記載の携帯品携帯監視装置。
【請求項３】
前記携帯品の携帯の必要性の有無と日付との関係に関する必要性情報を記憶する記憶手段を備え、
前記制御手段は、前記人物が前記非接触カードキー対応ＩＣリーダゲートを通過しようとする際に前記必要性情報に応じて前記ドアロック装置のロック・アンロックを行うことを特徴とする請求項２記載の携帯品携帯監視装置。
【請求項４】
前記携帯品は、非接触ＩＣリーダライタを内蔵した携帯端末、ＩＣタグを取り付けた財布、定期券、免許証、及びカードキーを含むことを特徴とする請求項１から３の何れか一項記載の携帯品携帯監視装置。
【請求項５】
個人識別情報を送受信する送受信装置を有する携帯品との間でデータを授受し、
前記ドアのロック・アンロックを行い、
前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックすることを特徴とする携帯品携帯監視方法。
【請求項６】
携帯品携帯監視装置のコンピュータを、
ドア付近に配置された非接触カードキー対応ＩＣリーダゲートが、個人識別情報を送受信する送受信装置を有する携帯品との間でデータを授受する手段、
ドアロック装置が、前記ドアのロック・アンロックを行う手段、
制御手段が、前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックする手段、
として機能させるためのプログラム。
【発明の詳細な説明】
【技術分野】
【０００１】
本発明は、携帯品携帯監視装置、携帯品携帯監視方法、及びプログラムに関する。
【背景技術】
【０００２】
携帯電話などの携帯情報端末器に非接触IC(Integrated Circuit)リーダライタを内蔵させ、財布などの所持品にICタグを取り付け、携帯情報端末器の非接触ICリーダライタからの電波で所持品のICタグとの間で通信を行われている。これは、非接触認識技術を利用し、携帯情報端末器とICタグとが通信範囲を超え離れた場合に携帯情報端末器が利用者に警報通知することで置き忘れや紛失を防止する技術である（例えば、特許文献１参照。）。
【０００３】
特許文献１に記載の発明は、紛失予防システムに関する発明であり、複数の管理対象にそれぞれ取り付けられたICタグと、ICタグとの間で無線による通信を行うICリーダライタを内蔵した携帯情報端末機器とによって構成されている。これは、ICリーダライタから送信される質問信号に対するICタグからのIDを含む応答信号の有無により管理対象の状態を監視して警報通知を行う紛失予防システムである。この紛失予防システムは、下り送信出力レベル設定手段と、質問信号送信手段と、警報通知手段とを設けたものである。
【０００４】
下り送信出力レベル設定手段は、携帯情報端末機器に、ICリーダライタから送信する電波を管理対象毎に変更して設定可能にする。
質問信号送信手段は、ICリーダライタから下り送信出力レベル設定手段で設定された管理対象毎の電波を管理対象毎に割り当てられたIDにより変調して時分割で送信する。
警報通知手段は、質問信号に対する各管理対象に取り付けられたICタグからのIDを含む応答信号が受信されなかったときにIDが割り当てられている管理対象が管理範囲を逸脱したことを示す警報を通知する。
また、本願発明に関連する発明として後述する特許文献２が挙げられる。
【先行技術文献】
【特許文献】
【０００５】
【特許文献１】特開２００８−７０９６４号公報
【特許文献２】特開２００５−１８２５６５号公報
【発明の概要】
【発明が解決しようとする課題】
【０００６】
しかしながら、特許文献１に記載の発明は、肝心の情報携帯端末や、持ち歩くべき所持品を家に置き忘れてきてしまったときの防止策がないという問題があった。
【０００７】
そこで、本発明の目的は、携帯すべき携帯品の置き忘れを防止した携帯品携帯監視装置、携帯品携帯監視方法、及びプログラムを提供することにある。
【課題を解決するための手段】
【０００８】
本発明の装置は、ドア付近に配置され、個人識別情報を送受信する送受信装置を有する携帯品との間でデータを授受する非接触カードキー対応ＩＣリーダゲートと、前記ドアのロック・アンロックを行うドアロック装置と、前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックする制御手段と、を備えたことを特徴とする。
【０００９】
本発明の方法は、個人識別情報を送受信する送受信装置を有する携帯品との間でデータを授受し、前記ドアのロック・アンロックを行い、前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックすることを特徴とする。
【００１０】
本発明のプログラムは、携帯品携帯監視装置のコンピュータを、ドア付近に配置された非接触カードキー対応ＩＣリーダゲートが、個人識別情報を送受信する送受信装置を有する携帯品との間でデータを授受する手段、ドアロック装置が、前記ドアのロック・アンロックを行う手段、制御手段が、前記非接触カードキー対応ＩＣリーダゲートを通過しようとする人物が前記携帯品を携帯していない場合には前記ドアロック装置で前記ドアをロックし、前記携帯品を携帯している場合には前記ドアロック装置をアンロックする手段、として機能させることを特徴とする。
【発明の効果】
【００１１】
本発明によれば、携帯すべき携帯品の置き忘れを防止した携帯品携帯監視装置、携帯品携帯監視方法、及びプログラムの提供を実現することができる。
【図面の簡単な説明】
【００１２】
【図１】本発明に係る携帯品携帯監視装置の一実施の形態を示すブロック図である。
【図２】図１に示した携帯品携帯監視装置に用いられる制御装置５の構成図の一例である。
【図３】図１に示した携帯品携帯監視装置の動作を説明するためのフローチャートの一例である。
【発明を実施するための形態】
【００１３】
＜特  徴＞
本発明は、ICリーダゲートを住宅や事業所の入口に設置することにより、忘れ物の有無をチェックするものである。また、個人ICカードを利用することにより、家人や関係者の誰がいつ何を所持すべきか、何を所持して出入りしたかを検出・記録する手段、およびICカードを所持しない人の出入りを監視・警報するものであり、個人ICカードによりドアをロック、アンロックするものである。
【００１４】
＜実施の形態１＞
＜構  成＞
図１は、本発明に係る携帯品携帯監視装置の一実施の形態を示すブロック図である。
本携帯品携帯監視装置は、非接触カードキー対応ICリーダゲート１と、ドアロック装置７と、制御手段としての制御装置５と、を有する。
【００１５】
非接触カードキー対応ICリーダゲート１は、例えば住宅や事業所のドア付近に配置され、個人識別情報を送受信する送受信装置を有する携帯品との間でデータを授受する機能を有する。
ドアロック装置７は、ドアのロック・アンロックを行う。
制御装置５は、非接触カードキー対応ICリーダゲート１を通過しようとする人物が携帯品を携帯していない場合にはドアロック装置７でドアをロックし、その人物が携帯品を携帯している場合にはドアロック装置７をアンロックする機能を有する。
【００１６】
携行品としては、非接触ICリーダライタを内蔵した携帯端末としてのICリーダ内蔵携帯電話２、ICタグを取り付けた財布３、ICタグを内蔵した定期券４、免許証、及びカードキーが挙げられる。
【００１７】
図２は、図１に示した携帯品携帯監視装置に用いられる制御装置５の構成図の一例である。
制御装置５は、無線アンテナ２１、無線部２２、制御部２３、音声入出力部２４、表示部２５、キー入力部２６、及び記憶部２７を有する。
無線アンテナ２１及び無線部２２は、非接触カードキー対応ICリーダゲート１と情報を無線で情報を交換する装置である。無線アンテナ２１としては、例えばループアンテナが挙げられるが、限定されるものではない。
制御部２３は、携帯品携帯監視装置を統括制御する装置であり、例えばマイクロプロセッサが用いられる。
警告手段としての音声入出力部２４は、忘れ物があった場合に「携帯電話をお忘れです。」、「定期券をお持ち下さい。」等の不携帯に関する注意を音声で喚起する装置である。音声メッセージについては、ユーザが録音したメッセージや、音声合成LSI(Large Scale Integrated circuit)に記録されたメッセージが用いられる。
表示部２５は、入力の結果や、履歴情報などを表示する装置であり、例えば、液晶表示装置、プラズマディスプレイ、EL(Electro Luminescence)ディスプレイが用いられる。
キー入力部２６は、初期データを入力するための装置であり、例えば、テンキー、及び液晶パネルで構成される。
記憶部２７は、携帯品の携帯の必要性の有無と日付との関係に関する必要性情報を記憶する装置であり、例えば、RAM(Random Access Memory)が用いられる。
【００１８】
＜動  作＞
次に、図１〜図３を参照して本実施形態の動作について詳細に説明する。
図３は、図１に示した携帯品携帯監視装置の動作を説明するためのフローチャートの一例である。
まず、図１において、制御装置５に、個人識別ICカード６を登録する。また、登録した個人識別ICカード６の所有者が外出時に所持するものを、登録した個人識別ICカード６に対応させ、登録する。ICカード内蔵携帯電話２は、必須項目として登録する。その他の所持するものを登録する。例えば、財布３や、定期券４などである。また、その他所持するものは、その個人の行動パターンにおいて、曜日や日時ごとに登録可能である。
【００１９】
個人識別ICカード６を所持した人が、玄関に設置された非接触カードキー対応ICリーダゲートを通過しようとすると、それに対応した所持品、特にICリーダ内蔵携帯電話２のICタグを感知しようとし、もしも感知できない場合は、制御装置５の音声入出力部２４（図２参照。）より、警告音を鳴らし、忘れ物があることを知らせる。
【００２０】
また、個人識別ICカード６は、玄関の鍵のロック、アンロックの機能を有し、それを所持する人が、非接触カードキー対応ICリーダゲート（玄関）１に近づくとドアがアンロックされ、離れるとドアが自動的にロックされる。
【００２１】
次に、図２において、制御装置５に、個人識別ICカード６などをキー入力装置２６、および表示部２５を利用しながら、記憶部２７に登録し、非接触カードキー対応ICゲートとの通信をおこなう無線部２２とアンテナ部２１より、制御部２３がデータを入力解析し、記憶部２７に登録しているデータ情報と照らし合わせ、忘れ物があるなどの判断をおこなう。その結果、忘れ物がある場合は、音声入出力部２４より、音声で警告する。
【００２２】
ここで、個人の識別を「個人ID識別カード６」ではなく「ICカード内蔵携帯電話２」によって行うのが好ましい。これは、現在通常の人が外出する際にはカードより携帯電話を携帯している場合が多いためである。
【００２３】
＜効果の説明＞
以上のように、本実施形態によれば、外出時、帰宅時に忘れ物確認できるという効果がある。
また、玄関ドアが自動にロック、アンロックされるため便利で、セキュリティ強度も高いという効果もある。
また、家人が複数の場合、各々の所持品の忘れ物を個別に管理できるという効果もある。
また、曜日や時間によって、忘れ物チェックのカテゴリをわけて管理できるという効果もある。
【００２４】
＜実施の形態２＞
次に、本発明の他の実施の形態について図面を参照して詳細に説明する。
図１によれば、個人識別ICカード６を人が所持する必要があるように見えるが、その場合、人が個人識別ICカード６を忘れた場合、玄関ドアがアンロックできないので、個人識別ICカード６自体の忘れ防止機能も、本発明は有する。また、ICカードによるドアロック・アンロック機能により、通常の鍵を使った玄関ドアより、セキュリティ強度が高くなる。また、本発明を企業などに適用する場合は、個人識別ICカードとして社員識別ICカードなどを使うことができる。
【００２５】
図２によれば、音声入力部２４を使うことで、忘れ物を指摘された場合でも、「オッケー」などを音声認識させることで、重要でない忘れものや、登録している所持品でも、その日は必要ないときなどは、ドアロックを解除できる。それらの情報は、記憶部２７に記憶され、帰宅時に出かけたときと所持品に不足がないかどうかをチェックして、紛失などのアラームをあげることができる。
【００２６】
図３は、本発明の処理フローの概略を示している。
はじめに制御部の記憶部へデータの初期登録を行い（ステップ３０１）、非接触カードキー対応ICリーダゲート１が記憶部２７を参照して、所持品に付随するICカードを認識した場合、記憶部２７の情報と照らし合わせて、忘れ物がないならドアをアンロック（ステップ３０４）するが、忘れ物がある場合は、警告音で知らせ（ステップ３０５）、また、非接触カードキー対応ICリーダゲート１が記憶部２７に登録されている個人識別ICカードを認識しなかった場合は、個人識別ICカードを認識するまでは、忘れ物のチェック（ステップ３０３）、およびドアの開閉の操作（ステップ３０４）は実施しない。
【００２７】
＜プログラム＞
以上で説明した本発明にかかる携帯品携帯監視装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００２８】
例えば、
携帯品携帯監視装置のコンピュータを、
(1)ドア付近に配置された非接触カードキー対応ＩＣリーダゲートが、個人識別情報を送受信する送受信装置を有する携帯品との間でデータを授受する手段、
(2)ドアロック装置が、ドアのロック・アンロックを行う手段、
(3)制御手段が、非接触カードキー対応ＩＣリーダゲートを通過しようとする人物が携帯品を携帯していない場合にはドアロック装置でドアをロックし、携帯品を携帯している場合にはドアロック装置をアンロックする手段、
として機能させるためのプログラムが挙げられる。
【００２９】
これにより、プログラムが実行可能なコンピュータ環境さえあれば、どこにおいても本発明にかかる携帯品携帯監視装置を実現することができる。
このようなプログラムは、コンピュータに読み取り可能な記録媒体に記憶されていてもよい。
【００３０】
＜記録媒体＞
ここで、記録媒体としては、例えば、CD−ROM（Compact Disc Read Only Memory）、フレキシブルディスク（FD）、CD−R（CD Recordable）などのコンピュータで読み取り可能な記録媒体、フラッシュメモリ、RAM、ROM（Read Only Memory）、FeRAM（強誘電体メモリ）等の半導体メモリやHDD（Hard Disc Drive）が挙げられる。
【００３１】
なお、上述した実施の形態は、本発明の好適な実施の形態の一例を示すものであり、本発明はそれに限定されることなく、その要旨を逸脱しない範囲内において、種々変形実施が可能である。
【００３２】
ところで、本願発明と技術範囲が近い発明として特許文献２に記載の発明が挙げられるが、本願発明と特許文献２に記載の発明とは、個人の識別を「個人ID識別カード」ではなく「ICカード内蔵携帯電話」によって行う点で相違している。
【００３３】
また、特許文献１に記載の発明と組み合わせることにより、外出先での携帯品の紛失チェックがどこでも可能になる。
【産業上の利用可能性】
【００３４】
本発明は、外出する際に携帯する、携帯電話や財布、定期券、鞄などの所持忘れ、帰宅時の紛失チェック、および玄関ドアのセキュリティ強度・ロック、アンロックの利便性向上の技術に関するもので、一般ユーザの自宅、企業ユーザの出入り口（ゲート）での利用が可能である。
【符号の説明】
【００３５】
１    非接触カードキー対応ICリーダゲート
２    ICリーダ内蔵携帯電話
３    財布
４    定期券
５    制御装置
６    個人識別ICカード
７    ドアロック装置
２１    無線アンテナ
２２    無線部
２３    制御部
２４    音声入出力装置
２５    表示部
２６    キー入力部
２７    記憶部
【図１】
2011090451.tif 000003
【図２】
2011090451.tif 000004
【図３】
2011090451.tif 000005